(57)【特許請求の範囲】
【請求項１】
上方が大きく開いた上方ロート部と、容器の口部に嵌合する下方嵌合部と、前記上方ロート部と前記下方嵌合部との境界に設けられた開口付き境界部と、前記開口を塞ぐ閉塞部及び該閉塞部から上方へ延びた舌部からなる表示把持部とからなり、前記表示把持部が前記上方ロート部の収容量に係る表示を設けていることを特徴とする計量ロート。
【請求項２】
前記表示把持部の目盛りは、水平に突出した突起部であることを特徴とする請求項１に記載の計量ロート。
【請求項３】
前記表示把持部の目盛りは、複数の収容物を加算した時の表面位置を示すことを特徴とする請求項１に記載の計量ロート。
【請求項４】
前記上方ロート部が、該上方ロート部の収容量を示す目盛りを設けていることを特徴とする請求項１に記載の計量ロート。
【請求項５】
前記表示把持部が、ドレッシング材料の量及び混合順序を表示することを特徴とする請求項１に記載の計量ロート。
【請求項６】
前記表示把持部が、調味料材料の量及び混合順序を表示することを特徴とする請求項１に記載の計量ロート。
【請求項７】
前記表示把持部が、ドリンク材料の量及び混合順序を表示することを特徴とする請求項１に記載の計量ロート。
【請求項８】
前記上方ロート部に収容される物品材料が、液体、粉体、粒体、固体から選択された複数のものであることを特徴とする請求項１に記載の計量ロート。
【発明の詳細な説明】
【０００１】
【発明の属する技術分野】
本発明は、計量ロート、さらに詳しくは、ボトル等に複数の液体を計量して注入するための計量ロートに関する。
【０００２】
【従来の技術】
例えば、複数の調味料、食用油、香辛料等を混ぜたドレッシングは、各種のものが量産されて市販されている。しかし、個性化あるいは健康思考の意向を反映して、家庭で少量を作ることも行われている。また、レストラン、惣菜店等においては、自己の店の独特の味を出すために市販されていない独自のドレッシングを調理して提供している。このドレッシングの調理は、各調理材料を計量カップによって計量し、所定の容器に順次移し替えて攪拌している。
【０００３】
他の調味料、例えばニ杯酢、三杯酢等も市販のものではなく、その家庭その店独特の味のものを味のバラツキなく容易に調理して使用することが望まれている。
複数種類の洋酒、果実汁、氷等を混合した洋酒カクテルを常に気軽に一定の味すなわち混合比で味わうことができれば望ましい。
【０００４】
さらに、健康思考から市販されていない飲み物、レモン生姜ドリンク、抹茶ドリンク、りんご酢ドリンク、黄粉ドリンク等雑誌の記事の紹介や口伝えの情報に基づいて複数の飲み物を混ぜたドリンクを毎日手軽に調理して飲用することができることが望まれている。このドリンクについても、各ドリンク材料を計量カップによって計量し、所定の容器に順次移し替えて攪拌している。
これらのドレッシング、調味料、ドリンク等は、防腐剤等化学物質を含んでいないこと、新鮮であることが特徴であり、この点からも少量を家庭やレストランで繰返し調理できることが望まれる。
【０００５】
【発明が解決しようとする課題】
前記ドレッシングや調味料の調理においては、計量カップを繰返し使用することによって各調味料材料を計量することが煩わしいだけでなく、他の容器に移し替えるときロート等が必要なこともあり、効率的にドレッシングや調味料の調理することができない問題がある。
【０００６】
また、各調味料材料の種類はともかく、各調味料材料の量すなわち材料比率を正確に記憶していてそれを計量することは、多忙な調理人、主婦には困難なことである。
さらに、調味料材料やドリンク材料によっては、混ぜ合わせの順序や混ぜ合わせ材料の量によって、均一に混合せず、塊のまま液体中に存続するようになったり、溶解に長い時間を要する場合があり、好ましくない。
【０００７】
【発明の目的】
本発明は、従来技術の少量のドレッシング等の調理に関する上述した問題に鑑みてなされたものであって、調味料材料の計量を正確且つ効率的に行うことができ、計量後の所定容器への移し替えが極めて容易な計量ロートを提供することを目的とする。
本発明はまた、各調味料材料の種類、各材料の量すなわち材料比率を正確に見易く表示することができ、間違った材料比率で混ぜるおそれの少ない計量ロートを提供することを目的とする。
【０００８】
本発明はまた、調味料材料を温度や物性に関し比較的均一な混合をし易い条件を設定しやすい計量ロートを提供することを目的とする。
本発明はまた、複数種類の洋酒、果実汁、氷等を混合した洋酒カクテルを常に気軽に一定の味すなわち混合比で味わうことができる計量ロートを提供することを目的とする。
【０００９】
本発明はさらに、各調味料材料等の混ぜ合わせ順序を見易く表示でき、間違った順序の混ぜ合わせを有効に防ぐことができる計量ロートを提供することを目的とする。
本発明はさらにまた、工業材料、薬品、肥料等の材料を正確且つ効率的に計量行うことができ、計量後の所定容器への移し替えが極めて容易な計量ロートを提供することを目的とする。
【００１０】
【課題を解決する手段】
本発明は、上方が大きく開いた上方ロート部と、容器の口部に嵌合する下方嵌合部と、前記上方ロート部と前記下方嵌合部との境界に設けられた開口付き境界部と、前記開口を塞ぐ閉塞部及び該閉塞部から上方へ延びた舌部からなる表示把持部とからなり、前記表示把持部が前記上方ロート部の収容量に係る表示を設けていることを特徴とする計量ロートである。
【００１１】
本発明の実施態様は、以下のとおりである。
前記表示把持部の目盛りは、水平に突出した突起部であることを特徴とする。
前記表示把持部の目盛りは、複数の収容物を加算した時の表面位置を示すことを特徴とする。
前記上方ロート部が、該上方ロート部の収容量を示す目盛りを設けていることを特徴とする。
前記表示把持部が、ドレッシング材料の量及び混合順序を表示することを特徴とする。
【００１２】
前記表示把持部が、調味料材料の量及び混合順序を表示することを特徴とする。
前記表示把持部が、ドリンク材料の量及び混合順序を表示することを特徴とする。
前記上方ロート部に収容される物品材料が、液体、粉体、粒体、固体から選択された複数のものである。
【００１３】
【発明の実施の形態】
本発明の実施形態の計量ロートを図に基づいて説明する。図１は、実施形態の計量ロートの使用状態を示す斜視図である。図２は、計量ロートの中心垂直断面図である。図３は、実施形態の表示把持部の正面図である。
【００１４】
実施形態の計量ロート１は、図１及び図２に示すように、上方が大きく開いた上方ロート部１０と、ペットボトル、ドレッシングボトル等の容器１１の口部に嵌合する下方嵌合部１２と、上方ロート部１０と下方嵌合部１２との境界に設けられた開口１４付き境界部１６と、前記開口１４を塞ぐ閉塞部２０と該閉塞部２０から上方へ延びた舌部２２からなる表示把持部２４とからなる。上方ロート部１０の外面には、上方ロート部１０に収容された全物体の量を示す目盛り２６が設けられている。
【００１５】
上方ロート部１０と下方嵌合部１２と境界部１６とからなる計量ロート本体３０は、内容物の種類や量を確認し易いことから、無色透明プラスチックで成形されることが好ましい。しかし、美感を高める着色不透明プラスチック製や耐久性の高い金属製であってもよい。また、化学薬品や肥料等の混合のために、耐高温性に優れた金属製のみならず、耐薬品性にも優れたガラス製であってもよい。
【００１６】
下方嵌合部１２は、図１及び図２に示すように、容器１１に容易に嵌合するように下方に末広がりである。下方嵌合部１２の中央部には、上方ロート部１０に収容されて開口１４から流れ落ちる調味料材料を溢すことなく容器１１に導くために、閉塞部２０の開口１４の周囲から下方に向かってガイドパイプ４０が設けられている。
【００１７】
表示把持部２４の閉鎖部２０には、図２に示すように、開口１４の密封性を高めるために、０リング５４が配置されている。舌部２２には、図３に示すように、水平に延びたほぼ三角形の突起部６０と平面部に記載された目盛り５０及び文字５２によって、調味料材料等の物品の量が表示させる。  この表示される量は、所定の順序で所定量の物品を上方ロート部１０に入れたときの各物品材料の表面高さを示す。表示把持部２４の高さは、閉塞部２０によって開口１４を塞いている時、上端部の摘まみ部５６が上方ロート部１０より突出するように決めると、摘まみ部５６に物品材料が付着することがないので好ましい。
【００１８】
表示把持部２４は、調理混合する物品毎に作ることもできるが、上述した実施形態のように、一つの表示把持部の表裏に異なった物品の材料量や混合順序を表示する方が好ましい。さらに、一つの把持表示部３種以上の物品の材料量や混合順序を表示することも可能である。
【００１９】
次に、上述した構成の計量ロート１の使用して、和風ヘルシードレッシングを調理する方法を説明する。図１及び図３に示すように、表示把持部２４を上方ロート部１０に容れ、閉塞部２０によって開口１４を塞ぎ、続いて下方嵌合部１２を容器１１の口部に嵌合させる。
【００２０】
次に、図３（Ａ）に示すように、上方ロート部１０に、ねり梅大さじ１杯を入れ、次に「だし６０ｃｃ」と表示した高さ位置まで表面がくるまでだしを入れる。続いて、「酢４０ｃｃ」と表示した高さ位置まで表面がくるまで酢を前記だしに加え入れる。続いて、「しょうゆ２０ｃｃ」と表示した高さ位置まで表面がしょうゆを加え入れる。各物品材料を入れる時、所定の目盛り位置を知るために突起部６０が有効である。
【００２１】
次に、摘まみ部５６を摘まんで表示把持部２４を上方ロート部１０から引き抜く。その結果、上方ロート部１０に入っていた物品材料は容器１１に注ぎ込まれる。計量ロート１を容器１１から外し、容器に蓋（図示せず）をして振る等して物品材料を十分に攪拌混合して和風ドレッシングが完成する。
【００２２】
他の調味料等を調理する例は以下のとおりである。
中華風ドレッシングは、図３（Ｂ）に示すように、すりごま大さじ２杯及び砂糖大さじ１杯を入れた後、しょうゆ６０ｃｃ、酢３０ｃｃ、ごま油３０ｃｃを順次加える。
りんご酢ドリンクは、図３（Ｃ）に示すように、はちみつ大さじ２杯を入れた後、水１２０ｃｃ、りんご酢３０ｃｃを順次加える。
【００２３】
きなこドリンクは、図３（Ｄ）に示すように、はちみつ大さじ１杯及びきなこ大さじ２杯を入れた後、豆乳１２０ｃｃを入れる。
三杯酢は、図３（Ｅ）に示すように、砂糖大さじ２杯及び塩小さじ１杯弱を入れた後、酢６０ｃｃ、だし３０ｃｃを順次加える。
２杯酢は、図３（Ｆ）に示すように、酢６０ｃｃ、だし５０ｃｃ、しょうゆ３０ｃｃ、みりん１０ｃｃを順次加える。
【００２４】
レモンしょうがドリンクは、図３（Ｇ）に示すように、はちみつ大さじ１を入れた後、水１００ｃｃ、レモン汁２５ｃｃ、しょうが汁１０ｃｃを順次加える。抹茶ドリンクは、図３（Ｈ）に示すように、はちみつ大さじ２杯及び抹茶小さじ１杯を入れた後、水１５０ｃｃを入れる。
【００２５】
【発明の効果】
本発明の計量ロートによれば、調味料材料の計量を正確且つ効率的に行うことができ、計量後の所定容器への移し替えが極めて容易である効果を有する。
本発明によればまた、各調味料材料の種類、各材料の量すなわち材料比率を正確に見易く表示することができ、間違った材料比率で混ぜるおそれの少ない効果を有する。
本発明によればまた、調味料材料を温度や物性に関し比較的均一な混合をし易い条件を設定しやすい効果を有する。
【００２６】
本発明によればまた、複数種類の洋酒、果実汁、氷等を混合した洋酒カクテルを常に気軽に一定の味すなわち混合比で味わうことができる効果を有する。
本発明によればさらに、各調味料材料等の混ぜ合わせ順序を見易く表示でき、間違った順序の混ぜ合わせを有効に防ぐことができる効果を有する。
本発明によればさらにまた、工業材料、薬品、肥料等の材料を正確且つ効率的に計量行うことができ、計量後の所定容器への移し替えが極めて容易である効果を有する。
【図面の簡単な説明】
【図１】図１は、実施形態の計量ロートの使用状態を示す斜視図である。
【図２】図２は、実施形態の計量ロートの中心垂直断面図である。
【図３】図３は、実施形態の表示把持部の正面図である。（Ａ）は、実施形態の和風ヘルシードレッシングの表示把持部の正面図である。（Ｂ）は、実施形態の中華風ドレッシングの表示把持部の正面図である。（Ｃ）は、実施形態のりんご酢ドリンクの表示把持部の正面図である。（Ｄ）は、実施形態のきなこドリンクの表示把持部の正面図である。（Ｅ）は、実施形態の三杯酢の表示把持部の正面図である。（Ｆ）は、実施形態の２杯酢の表示把持部の正面図である。（Ｇ）は、実施形態のレモンしょうがドリンクの表示把持部の正面図である。（Ｈ）は、実施形態の抹茶ドリンクの表示把持部の正面図である。
【符号の説明】
１          計量ロート
１０        上方ロート部
１１        容器
１２        下方嵌合部
１４        開口
１６        境界部
２０        閉塞部
２２        舌部
２４        表示把持部
２６        目盛り
３０        計量ロート本体
４０        ガイドパイプ
５４        ０リング
５６        摘まみ部
６０        突起部
【図１】
0003996752.tif 000002
【図２】
0003996752.tif 000003
【図３】
0003996752.tif 000004